(57)【要約】【課題】炭素材料と磁石材料のそれぞれによる健康増進効果を期待できる貼着型健康増進用具およびそれに用いる健康増進用具本体を提供する。【解決手段】一方の面に粘着層２１を有したシール材２０と、炭素純度が９０％以上、かつ２０００℃以上の熱処理により結晶化された炭素材料１２と、磁石材料１３とを備えてなり、炭素材料１２と磁石材料１３とが一体とされてシール材２０の粘着層２１に接着されている。【選択図】図１
2020198984.tif 000002
【特許請求の範囲】
【請求項１】
一方の面に粘着層を有したシール材と、
炭素純度が９０％以上、かつ２０００℃以上の熱処理により結晶化された炭素材料と、
磁石材料とを備えてなり、
前記炭素材料と前記磁石材料とが一体とした健康増進用具本体を前記シール材の前記粘着層に接着されていることを特徴とする貼着型健康増進用具。
【請求項２】
請求項１において、
前記炭素材料は成形体とされ、前記磁石材料は永久磁石体とされ、
前記成形体の一方の面に形成された凹部に前記永久磁石体が装着されており、該永久磁石体を隠すように前記成形体の前記凹部側の面が前記粘着層に接着されていることを特徴とする貼着型健康増進用具。
【請求項３】
請求項２において、
前記炭素材料は３〜５μｍの黒鉛粒子であり、
前記成形体は、樹脂材に前記黒鉛粒子を含有させて形成されていることを特徴とする貼着型健康増進用具。
【請求項４】
請求項１において、
前記磁石材料は永久磁石体とされ、
前記炭素材料は３〜５μｍの黒鉛粒子であり、
樹脂材に前記黒鉛粒子を含有させて形成された成形体の内部に前記永久磁石体が配されており、該成形体の一方の面が前記粘着層に接着されていることを特徴とする貼着型健康増進用具。
【請求項５】
請求項１において、
前記磁石材料は磁性粉粒体とされ、
前記炭素材料は３〜５μｍの黒鉛粒子であり、
樹脂材に前記黒鉛粒子と前記磁性粉粒体とを含有させて成形体が形成されており、該成形体の一方の面が前記粘着層に接着されていることを特徴とする貼着型健康増進用具。
【請求項６】
請求項２〜５のいずれか１項において、
前記成形体の前記粘着層に接着されていない面に皮膜層が設けられていることを特徴とする貼着型健康増進用具。
【請求項７】
請求項１〜６のいずれか１項に記載の貼着型健康増進用具に用いられる健康増進用具本体。
【発明の詳細な説明】
【技術分野】
【０００１】
本発明は、健康増進のために人体の所定の部位に貼着して使用することができる貼着型健康増進用具、および、その貼着型健康増進用具に用いられる健康増進用具本体に関する。
【背景技術】
【０００２】
従来には、この種の貼着型健康増進用具として、炭素材料を用いたものが種々提案されている（例えば、特許文献１参照）。これらの発明は、炭素材料より放射される遠赤外線により、血流の促進を図るものである。
【０００３】
また、永久磁石の磁気による健康増進効果を図るものも、従来には多く提案されている。
【先行技術文献】
【特許文献】
【０００４】
【特許文献１】特許第５５５３３２８号公報
【発明の概要】
【発明が解決しようとする課題】
【０００５】
しかしながら、炭素材料による遠赤外線効果と磁石材料による磁気効果の両方を有する貼着型健康増進用具は、従来には提案も実施もなされていない。
【０００６】
本発明は、このような事情を考慮して提案されたもので、その目的は、炭素材料と磁石材料のそれぞれによる健康増進効果を期待できる貼着型健康増進用具およびそれに用いられる健康増進用具本体を提供することにある。
【課題を解決するための手段】
【０００７】
上記目的を達成するために、本発明の貼着型健康増進用具は、一方の面に粘着層を有したシール材と、炭素純度が９０％以上、かつ２０００℃以上の熱処理により結晶化された炭素材料と、磁石材料とを備えてなり、炭素材料と磁石材料とが一体とされてシール材の粘着層に接着されていることを特徴とする。
【０００８】
また、本発明の健康増進用具本体は、上記貼着型健康増進用具に用いられる健康増進用具本体とされる。
【発明の効果】
【０００９】
本発明の貼着型健康増進用具および健康増進用具本体は上述した構成とされているため、炭素材料による遠赤外線と磁石材料による磁気により血流の促進などの健康増進を図ることができる。
【図面の簡単な説明】
【００１０】
【図１】本発明の一実施形態に係る貼着型健康増進用具の説明図である。（ａ）は平面図、（ｂ）は（ａ）の正面図である。
【図２】（ａ）は、図１（ａ）のＡ−Ａ線に対応した、炭素材料よりなる成形体の拡大縦断面図、（ｂ）は永久磁石体の拡大斜視図である。
【図３】本発明の他の実施形態に係る貼着型健康増進用具の説明図である。（ａ）は、成形体の拡大縦断面図および部分拡大図、（ｂ）は成形体の底面図である。
【図４】（ａ）は健康増進用具本体の縦断面図、（ｂ）はさらに他の実施形態に係る健康増進用具本体の縦断面図である。
【図５】本発明のさらに他の実施形態に係る貼着型健康増進用具の縦断面図である。
【発明を実施するための形態】
【００１１】
以下に、本発明の実施の形態について、添付図面にもとづいて説明する。
まず、以下の複数の実施形態に係る貼着型健康増進用具１の共通の基本構成について記述する。
【００１２】
貼着型健康増進用具１は、一方の面に粘着層２１を有したシール材２０と、炭素純度が９０％以上、かつ２０００℃以上の熱処理により結晶化された炭素材料１２と、磁石材料１３とを備えて構成されている。そして、炭素材料１２と磁石材料１３とが一体とされてシール材２０の粘着層２１に接着されている。
【００１３】
また、以下の複数の実施形態のものはいずれも、シール材２０は略円形とされ、炭素材料１２と磁石材料１３とを含んだ健康増進用具本体１０は、シール材２０よりも寸法を小とした略円板状とされ、シール材２０の粘着層２１の略中央に接着されている。もちろん、このような形状には限らない。
【００１４】
このシール材２０の直径は約２５ｍｍとされ、健康増進用具本体１０の直径は約７ｍｍとされる。もちろん、この寸法のものには限らない。
【００１５】
健康増進用具本体１０は、一方の面はシール材２０の粘着層２１に接着される基部面１１ａとされ、他方の面は三角錐状に略中央が突出しており、この面を含む先端側の略三角錐部分が人体当接部１１ｃを構成している。
【００１６】
また、基部面１１ａの外周部は平坦面からわずかに降下傾斜するように湾曲して下側角部が形成されている。この基部面１１ａ側の下側角部を含む上側角部、頂部の角部はすべて湾曲形状とされている。このように周囲がすべて湾曲形状とされているため、人体やシール材２０を傷めるおそれはない。
【００１７】
これらの貼着型健康増進用具１によれば、炭素材料１２の遠赤外線による効果と、磁石材料１３の磁気による効果の両方を得ることができる。
【００１８】
以下に、炭素純度が９０％、かつ２０００℃以上の熱処理により結晶化された炭素材料がもたらす遠赤外線効果のメカニズムを述べる。
【００１９】
人体は、身体組成の６０％は水分、２５％は炭素であり、３６．５℃の平均体温で常に１０ミクロンの遠赤外線を放射している。一方、上述のように高温焼成により結晶化させた炭素材料は導電性が高いため、熱伝導性も高く、熱吸収がよい。したがって、人体の皮膚に上述の炭素材料１２が触れたり近づいたりすると、人体が遠赤外線を吸収して加温される。すなわち、これら炭素材と人体との間で同じ波長の遠赤外線を放射し合い、炭素材は約３６．５℃を維持する一方で身体の中では水分子が激しく衝突して、この振動が運動エネルギーとなって、熱に変換され身体が加温される。
【００２０】
その結果、遠赤外線が皮下組織や血管などに作用して血流が改善され、本発明者によれば、抹消、中枢の血流に１５％の上昇効果があることが確認されている。また、これらの炭素材は、α波を発生して、身体を癒して疲労を軽減し、健康増進に寄与すると考えられる。
【００２１】
以下、各実施形態について詳述する。
【００２２】
図１および図２に示した貼着型健康増進用具１は、炭素材料１２よりなる成形体１１と、永久磁石体１３ａ（磁石材料１３）とを組み合わせて健康増進用具本体１０が形成されたものである。
【００２３】
具体的には、成形体１１は、炭素純度が９０％以上、かつ２０００℃以上の熱処理により結晶化された炭素材料１２で形成されている。例えば、つぎのように製造することができる。
【００２４】
黒鉛などの炭化物の炭素粉に、フェノール系接着剤、ピッチまたはタールなどのバインダを５重量％程度加えて固め、所定の塊に加圧成形する。そして、酸素が欠乏した状態で加熱し、２０００〜３０００℃程度で焼成する。この状態で、原料の炭素粉同士は結合し結晶化（黒鉛化、定型炭素化）する。例えば人造黒鉛が挙げられる。
【００２５】
なお、フェノール成分、ピッチまたはタールは昇温途中の約１２００℃程度で揮発している。その後、加熱を止め、温度を下げ、成形体の形状に加工する。この成形体は、バインダが揮発しているので、ほぼ１００％（９９％以上）の炭素の材料となっている。また、かさ密度（かさ比重）は。１．７７Ｍｇ／ｍ３以上である。
【００２６】
成形体１１は、図２（ａ）（ｂ）に示すように、基部面１１ａの中央に円形の凹部１１ｂが形成されている。凹部１１ｂの直径は約４ｍｍ、深さ寸法は約１．２ｍｍとされる。また、凹部１１ｂの底部中央には余剰接着剤溜まり部１１ｅが形成されている。
【００２７】
成形体１１は、図２（ａ）に示すように、基部面１１ａの中央に円形の凹部１１ｂが形成されており、その凹部１１ｂに円盤状の永久磁石体１３ａが装着されている。永久磁石体１３ａをしっかりと凹部１１ｂに装着（固着）するためには、接着剤を用いることが望ましい。なお、その接着剤の余剰分は余剰接着剤溜まり部１１ｅに溜まるため、基部面１１ａ側に余剰接着剤が漏れ出るおそれはほとんどない。
【００２８】
また、永久磁石体１３ａは凹部１１ｂに対し、接着剤を用いずに、嵌合あるいは遊嵌状態に装着されたものでもよい。その場合でも、製品（貼着型健康増進用具１）化してしまえば、成形体１１の基部面１１ａおよび永久磁石体１３ａの裏面はシール材２０の粘着層２１に接着され、塞がれるため、永久磁石体１３ａが外れるおそれはない。
【００２９】
また、成形体１１の人体当接部１１ｃの表面側に皮膜層１４が設けてある。この皮膜層１４としては、樹脂または炭素を用いることができる。樹脂としてはウレタン等、炭素としてはＤＬＣ薄膜が用いられる。
【００３０】
加圧成形された成形体１１は、表面に微細な凹凸があり、損傷しやすいため、皮膜層１４を設けることにより、成形体１１の摩耗や破損を防止することができる。特に、人体への使用中には人体当接部１１ｃの先端に大きな外力がかかるが、皮膜層１４によりこれを保護でき、摩耗や破損を防止することができる。
【００３１】
また、樹脂よりなる皮膜層１４によれば安価に製造できる。炭素よりなる皮膜層１４によれば、炭素材料１２よりなる成形体１１との密着性がよく、硬質な表面に仕上げることができる。また、光沢もよい。
【００３２】
永久磁石体１３ａとしては、磁力の強いネオジム磁石を用いることができるが、これには限られず、フェライト磁石、サマリウムコバルト磁石などを用いることもでき、磁束密度が６０〜２００ミリステラのものを用いることが望ましい。
【００３３】
この貼着型健康増進用具１によれば、健康増進用具本体１０には炭素材料１２および磁石材料１３の成分以外をほとんど含んでいないため、貼着型健康増進用具１を効率的に構成することができる。
【００３４】
また、健康増進用具本体１０を構成する２つの材料が相互に別体とされているため、特に磁石材料１３を遊嵌状態で凹部１１ｂに装着したものでは、材料ごとの取り扱いが可能とない、材料（特に成形体１１）ごとの摩耗、破損の程度におうじて個別に簡単に取り替えることができる。
【００３５】
ついで、樹脂材と炭素材料１２とが含有された成形体１１を有した貼着型健康増進用具１について、図３（ａ）（ｂ）および図４（ａ）を参照しながら説明する。このものに用いられる健康増進用具本体１０の成形体１１は、射出成形で形成されている。
【００３６】
この成形体１１の凹部１１ｂの開口縁には、内方（凹部１１ｂ側）に突出した複数の装着爪１１ｄが周方向に等間隔に形成されている。装着爪１１ｄの突出寸法は０．０５ｍｍ程度の微小なものとされる。
【００３７】
装着爪１１ｄは、図３（ａ）の拡大図に示すように、断面略三角形状とされ、開口側の面１１ｄａを凹部壁面に対し約３０度の傾斜角としたなだらかな傾斜面とし、底部側の面１１ｄｂを凹部壁面に対し約４５度の傾斜角とした、開口側の面１１ｄａよりも急な傾斜面としている。
【００３８】
装着爪１１ｄの周方向に沿う稜線部１１ｄｃ（開口側の面１１ｄａと底部側の面１１ｄｂとの境界線部分で、凹部１１ｂの内方に最も突出した部位）は、平面視で、凹部１１ｂの平面形状である円と同心の小さな円の円弧形状とされる（図３（ｂ）参照）。開口側の面１１ｄａが永久磁石体１３ａを装着する際のガイド面をなし、底部側の面１１ｄｂが永久磁石体１３ａの抜け出しを防止する抜け防止面をなす。
【００３９】
凹部１１ｂには、略円盤状の永久磁石体１３ａが、装着爪１１ｄの稜線部１１ｄｃを乗り越えるようにして装着される。この永久磁石体１３ａの直径は、成形体１１の直径を７ｍｍとした場合、約４ｍｍとされ、厚さ寸法は約１ｍｍとされ、凹部１１ｂの深さ寸法よりも、その深さ方向に対応した装着爪１１ｄの寸法分、小とされる。したがって、永久磁石体１３ａを成形体１１に装着した健康増進用具本体１０は、図４（ａ）示すように、基部面１１ａでは、永久磁石体１３ａの露出部分がやや凹んだ状態となる。
【００４０】
なお、永久磁石体１３ａをよりしっかりと凹部１１ｂに装着させるために、接着剤を用いてもよい。なお、その接着剤の余剰分は余剰接着剤溜まり部１１ｅに溜まるため、基部面１１ａ側に余剰接着剤が漏れ出るおそれはほとんどない。
【００４１】
また、接着剤は用いずに、永久磁石体１３ａの一部が余剰接着剤溜まり部１１ｅに配設されるような突出部を有した形状の永久磁石体１３ａを用いてもよい。そのような突出部を永久磁石体１３ａに設ければ、成形体１１の三角錐状の人体当接部１１ｃの頂部に近い位置にも磁石を配することができる。
【００４２】
装着爪１１ｄは、上記形状に代えて半円柱状としてもよい。なお、装着爪１１ｄの底部側の面１１ｄｂの角度を約４５度以下とするか、あるいは装着爪１１ｄの形状を半円柱状とすれば、工具を使って永久磁石体１３ａを取り外すこともできる。
【００４３】
また、複数の装着爪１１ｄにより径が小さくなった開口に対し、装着爪１１ｄの稜線部１１ｄｃで永久磁石体１３ａを押圧するように、圧嵌状態に装着してもよい。この場合、凹部１１ｂの深さ寸法と同じ厚さ寸法の永久磁石体１３ａを用いることができ、基部面１１ａと磁石面とを略面一にすることができる。このようにすれば、永久磁石体１３ａを取り外しやすくなる。
【００４４】
このように、装着爪１１ｄにより成形体１１の凹部１１ｂに永久磁石体１３ａをしっかりと装着すれば、シール材２０で基部面１１ａを塞がなくても、成形体１１と永久磁石体１３ａとは分離しにくくなり、健康増進用具本体１０を個別の製品部材として取り扱いがしやすくなる。また、以上のような装着爪１１ｄによれば、健康増進用具本体１０の組み立てを効率化、低コスト化することもできる。
【００４５】
また、成形体１１に装着爪１１ｄを形成せずに、接着剤のみで永久磁石体１３ａを装着したものであってもよい。さらに、接着剤も使用せず、永久磁石体１３ａを凹部１１ｂに対し嵌合あるいは遊嵌状態に装着したものであってもよい。その場合でも、製品化（貼着型健康増進用具１に）してしまえば、成形体１１の基部面１１ａおよび永久磁石体１３ａの裏面はシール材２０の粘着層２１に接着され、塞がれるため、永久磁石体１３ａが外れるおそれはない。
【００４６】
また、このように、成形体１１の凹部１１ｂに装着爪１１ｄを設けるなどして、成形体１１に永久磁石体１３ａをしっかりと装着したものでは、シール材２０が引き剥がされても、健康増進用具本体１０を構成する２つの材料が分離する可能性は低い。そのため、シール材２０を粘着層２１の劣化により取り替える場合でも、健康増進用具本体１０の構成部材の一方、特に微小な永久磁石体１３ａを紛失することを防止できる。
【００４７】
ついで、成形体１１の詳細について説明する。
この成形体１１は、樹脂材に３〜５μｍの黒鉛粒子を含有させた樹脂組成物１５により形成されている。黒鉛粒子としては、３〜５μｍ前後に粉砕され微細化された人造黒鉛、鱗状黒鉛、アセチレンブラック等が挙げられる。これらはいずれも、炭素純度が９０％以上である。
【００４８】
樹脂材としては熱可塑性樹脂が好適に用いられ、ポリプロピレン、シリコーン、ポリスチレン、ポリアミド、ハロゲン化ビニル樹脂、ポリアセタール、ポリエステル、ポリカーボネート、ポリアリールスルホン、ポリアリールケトン、ポリフェニレンエーテル、ポリフェニレンスルフィド、ポリアリールエーテルケトン、ポリエーテルスルホン、ポリフェニレンサルファイドスルフォン、ポリアリレート、液晶ポリエステル、フッ素樹脂等が挙げられる。これらは単独又は２種以上組み合わせて用いてもよい。また、樹脂材として熱硬化性樹脂を用いてもよい。
【００４９】
このような樹脂材に上述の黒鉛粒子を５〜５０重量％含有させ、ペレット状にする。そして、熱を加えて溶けた原材料である樹脂組成物１５を金型に供給して射出成形する。
【００５０】
このとき用いられる黒鉛粒子は、粒度が微細であればあるほどよく、また樹脂材に対して黒鉛粒子を多く含ませられれば、効果の向上が期待できる。しかし結晶化した炭素材料の原料によっては、微細に粉砕し難いものもある。また混入させる樹脂材によっては黒鉛粒子とうまく混ざらないものもあり、ひとくちに黒鉛粒子といっても射出成形するには、様々な問題がある。例えばアセチレンブラックは、微細な粒子にしやすく高い導電性が有しているが、樹脂材と混ざりにくい。
【００５１】
発明者らは種々試験を行った結果、炭素材料１２は高温焼成による結晶化が導電性を高めるために必須であり、上述の樹脂材と混ぜて射出成形を行うには、３〜５μｍ前後に粉砕して用いることが最適であることを見出した。上述の黒鉛粒子を３μｍより小さく均一に粉砕することは難しく、黒鉛粒子が５μｍより大きくなると樹脂材と混ざりにくい傾向となる。また樹脂材に対して含有される黒鉛粒子が５０重量％より多くなると射出成形がうまくいかない傾向となる。なお、射出成形がしやすさ、および成形後の形状保持力を考慮すれば、黒鉛粒子は５〜２０重量％の含有率とすることが望ましい。
【００５２】
このように黒鉛粒子を配合させた樹脂組成物１５による成形体１１は、黒鉛粒子の炭素材料１２だけで成形した成形体１１（図１参照）よりも炭素材料１２の含有量が少ない。しかし、発明者らの試験によれば、２種の成形体１１の熱伝導率はほとんど変わらないことが実験にて判明している。
【００５３】
このように、炭素材料１２を樹脂材に混ぜて形成した成形体１１であっても熱伝導性は高いため、健康増進用具本体１０が人体の皮膚に触れたり近づいたりすると、図１のものと同程度に人体が遠赤外線を吸収して加温される。よって、本実施形態に係る貼着型健康増進用具１（健康増進用具本体１０）も、健康増進に十分に寄与する。
【００５４】
また、炭素材料１２を樹脂材に混合させて射出成形などの方法で成形体１１を形成すれば、炭素材料１２だけで加圧成形で形成した成形体１１よりも破損や摩耗はしにくくなり、健康増進用具本体１０は長持ちする。健康増進用具本体１０が長持ちするので、相対的に、シール材２０の粘着層２１の粘着力が早く劣化する。その場合には、シール材２０のみを取り替えて使用することもできる。なお、成形体１１は破損しにくいが、人体当接部１１ｃの表面には皮膜層１４を設けることがより望ましい。
【００５５】
また、成形体１１は樹脂組成物１５で射出成形されるため、装着爪１１ｄなどの細かな部位でも成形しやすく、また炭素材料１２のみよりなる成形体１１（図２（ａ）参照）にくらべて柔軟であるため、永久磁石体１３ａの凹部１１ｂへの装着もしやすい。
【００５６】
また、樹脂材を用いた成形体１１を用いる場合、永久磁石体１３ａをインサート部品としてインサート成形により形成してもよい。その場合には、成形体１１と永久磁石体１３ａとよりなる健康増進用具本体１０が一体に成形できるため、装着爪１１ｄは不要とされる。このようなインサート成形方法によれば、永久磁石体１３ａの凹部１１ｂへの埋め込み作業が発生せず、製造工程を簡易化することができる。
【００５７】
樹脂材を用いた健康増進用具本体１０における永久磁石体１３ａの配設態様としては、図４（ａ）のものには限らず、図４（ｂ）のように、永久磁石体１３ａが健康増進用具本体１０の円盤の厚み方向の中央に配されたものであってもよい。この場合も、永久磁石体１３ａをインサート部品としてインサート成形により形成すればよい。さらに、人体当接部１１ｃの先端部分を永久磁石体１３ａで形成してもよい。永久磁石体１３ａの形状についても種々のものの適用が可能である。
【００５８】
つぎに、他の実施形態の貼着型健康増進用具１について、図５を参照しながら説明する。この貼着型健康増進用具１も、樹脂材を用いて射出成形などの方法で成形体１１を成形するものである。
【００５９】
具体的には、成形体１１には、樹脂材および炭素材料１２のほかに、磁石材料１３としての磁性粉粒体１３ｂが含まれている。炭素材料１２としては３〜５μｍの黒鉛粒子が用いられ、磁性粉粒体１３ｂとしては、永久磁石の粉末や、鉄等の強磁性体の粉末などが含まれる。なお、図５では模式的に、樹脂組成物１５中の磁性粉粒体１３ｂを梨地で示した。
【００６０】
ようするに、炭素材料１２を含んだプラスチック磁石を成形体１１とした貼着型健康増進用具１を形成すればよい。なお、この場合、健康増進用具本体１０は、炭素材料１２および磁石材料１３、樹脂材を含む樹脂組成物１５よりなる成形体１１と、皮膜層１４とより構成される。
【００６１】
磁性粉粒体１３ｂを強磁性体で形成したものでは、これを用いて製造した成形体１１を着磁により磁石化すればよい。
【００６２】
この貼着型健康増進用具１によれば、炭素材料１２、磁石材料１３が樹脂材で一体となった樹脂組成物１５で健康増進用具本体１０が構成されているため、製造工程や製造後において、炭素材料１２と磁石材料１３とが分離するおそれがなく、取り扱いがしやすい。また、永久磁石体１３ａの凹部１１ｂへの埋め込み作業は発生せず、製造工程が簡易化する。
【００６３】
以上に説明した種々の実施形態の貼着型健康増進用具１は、人体への貼り付け面に粘着層２１を有しているため、使用前においては、これを保護するために剥離紙を貼り付けておけばよい。
【符号の説明】
【００６４】
１          貼着型健康増進用具
１０        健康増進用具本体
１１        成形体
１１ａ      基部面
１１ｂ      凹部
１１ｃ      人体当接部
１１ｄ      装着爪
１１ｄａ    開口側の面
１１ｄｂ    底部側の面
１１ｄｃ    稜線部
１１ｅ      余剰接着剤溜まり部
１２        炭素材料
１３        磁石材料
１３ａ      永久磁石体
１３ｂ      磁性粉粒体
１４        皮膜層
１５        樹脂組成物
２０        シール材
２１        粘着層
【図１】
2020198984.tif 000003
【図２】
2020198984.tif 000004
【図３】
2020198984.tif 000005
【図４】
2020198984.tif 000006
【図５】
2020198984.tif 000007